(57)【特許請求の範囲】
【請求項１】
注出路を有して、ビン等の容器の口に取り付けられるキャップ状の中栓であって、その外周壁の下端縁には切離可能な大径のストッパーリングおよび該注出路にはこれを閉鎖する薄膜が設けられる中栓と、該中栓に取り付けられる外装キャップであって、その下端が上記ストッパーリング上に載置されるとともに、上記注出路を開閉自在に塞ぐ外蓋がヒンジを介して取り付けられた外装キャップとを備えたヒンジキャップにおいて、
上記外装キャップを上記中栓に上下方向に移動可能に螺合するとともに、上記外装キャップには、上記注出路に挿入され、上記ストッパーリングを切離して該外装キャップを上記中栓に螺入することで回転されつつ下降されて上記薄膜を切り裂く尖端部を形成し、上記注出路には、上記尖端部が上記薄膜を切り裂く際に剪断作用を付加するために、下降する該尖端部を上刃として当該上刃に対し、該薄膜を挟み込む下刃として作用する剪断部を形成したことを特徴とするヒンジキャップ。
【請求項２】
上記尖端部はその回転方向に、上記薄膜に対して部分的に形成されていることを特徴とする請求項１に記載のヒンジキャップ。
【請求項３】
上記尖端部は上記薄膜を切り落とさないように、該薄膜を１回転未満で切り裂くことを特徴とする請求項１または２に記載のヒンジキャップ。
【発明の詳細な説明】
【０００１】
【発明の属する技術分野】
本発明は、ガラスや合成樹脂等のビンを含む容器の口に被冠、固定されて、容器内の密閉状態を保持し得る構造のヒンジキャップ、特に初期孔を操作性よく開けることのできるバージン機構付きのヒンジキャップに関するものである。
【０００２】
【従来の技術】
従来、この種のバージン機構付きのヒンジキャップとしては、特開平１１−７９２２５号公報に開示されたものがある。これは、図５に示すように、防腐剤等を加えていない無添加の化粧液等を入れている化粧用瓶または容器用のヒンジキャップであり、容器４１の口４２に、断面逆Ｕ字型をなす外周壁４８ａ及び内周壁４８ｂを有し、かつその内周壁下端口部を閉鎖する遮蔽板４８ｃを有する中栓４８を被冠、固定し、更に、この中栓４８の上に外装キャップ４９を被冠、固定した構造を有する。
【０００３】
上記中栓４８は、その外周壁４８ａの下端縁に大径の環状帯部４８ｆを有しており、この環状帯部４８ｆは１ヶ所で切断されてその一端部４８ｇが外方に突出している。また、外装キャップ４９は、上記中栓４８の上に被冠する本体キャップ５０と、この本体キャップ５０の小孔５０ａに嵌入して閉塞する突起５１ａを有する外蓋５１とからなり、この本体キャップ５０の中にガイド筒５２を垂下し、このガイド筒５２の下端縁を断面が鋭利な形状として、上記遮蔽板４８ｃに対向させてある。そして、上記環状帯部４８ｆを中栓４８から切り離して外装キャップ４９を下方に押圧すると、外装キャップ４９の下端縁（本体キャップ外周壁５０ｃの内周環状突部５０ｄ）が容器４１の口４２の外周（容器外周壁４３の環状突部４５の下の下部環状凹部４７）に係止されるとともに、上記ガイド筒５２の下端縁が上記遮蔽板４８ｃに切り込みを入れて初期孔を開ける構成となっている。
【０００４】
なお上記外蓋５１は、本体キャップ５０の上記外周壁５０ｃの上端にヒンジにより開閉自在に取り付けられている。
【０００５】
上記構成のバージン機構付きのヒンジキャップによれば、適宜の液体等を容器４１の中に入れて中栓４８を被冠、固定しているため、容器４１は密閉され、この状態で輸送したり、保存される。そして需要者等がこの容器４１の中身を使用する場合、上述の如く、外装キャップ４９を押し下げれば、外装キャップ４９の中で、中栓４８が破れ、この状態で外装キャップ４９が固定される。そして需要者等はこの外装キャップ４９の外蓋を開閉することにより、内部の液体等を取り出すことが出来る。
【０００６】
【発明が解決しようとする課題】
しかしながら、従来のバージン機構付きのヒンジキャップは、本体キャップ５０を中栓４８の上に被冠すると、本体キャップ５０の中に垂下させたガイド筒５２が遮蔽板４８ｃに対向して位置し、その後、押し込みにより、一気に遮蔽板４８ｃに切り込みを入れる構成となっている。このため、初期孔を開けることに関し、操作が衝撃的かつ一挙動的となって使いづらいと共に、一気に初期孔を開けるので切れ味に関する使用感があまり良くなかった。
【０００７】
そこで、本発明の目的は、上記課題を解決し、初期孔を開ける際の操作が容易で使用感の良いバージン機構付きのヒンジキャップを提供することにある。
【０００８】
【課題を解決するための手段】
上記目的を達成するため、請求項１に記載の発明は、注出路を有して、ビン等の容器の口に取り付けられるキャップ状の中栓であって、その外周壁の下端縁には切離可能な大径のストッパーリングおよび該注出路にはこれを閉鎖する薄膜が設けられる中栓と、該中栓に取り付けられる外装キャップであって、その下端が上記ストッパーリング上に載置されるとともに、上記注出路を開閉自在に塞ぐ外蓋がヒンジを介して取り付けられた外装キャップとを備えたヒンジキャップにおいて、上記外装キャップを上記中栓に上下方向に移動可能に螺合するとともに、上記外装キャップには、上記注出路に挿入され、上記ストッパーリングを切離して該外装キャップを上記中栓に螺入することで回転されつつ下降されて上記薄膜を切り裂く尖端部を形成し、上記注出路には、上記尖端部が上記薄膜を切り裂く際に剪断作用を付加するために、下降する該尖端部を上刃として当該上刃に対し、該薄膜を挟み込む下刃として作用する剪断部を形成したことを特徴とする。
【０００９】
中栓に外装キャップを螺入させるようにしていて、初期孔を開ける際その螺入の程度を深めるにつれ、中栓の薄膜が尖端部により徐々に周方向に切り裂かれていく。即ち、従来のように初期孔を開けることに関し、操作が衝撃的かつ一挙動的とならないので使い易いと共に、一気に初期孔を開ける場合に較べて使用感も良くなる。また、注出路で、尖端部を、薄膜を切り裂く際に剪断作用を付加する上刃とするとともに、薄膜を挟み込む下刃として剪断部を形成したので、ハサミの作用が確保されて、初期孔を開ける際に、非常に良好な切れ味を得ることができる。
【００１０】
請求項２に記載の発明は、上記尖端部はその回転方向に、上記薄膜に対して部分的に形成されていることを特徴とする。
【００１１】
薄膜を切り裂く尖端部が当該薄膜に対して部分的に形成されていて、切り裂く際の回転抵抗を小さくすることができ、スムーズに薄膜を切り裂くことが可能となる。
【００１２】
請求項３に記載の発明は、上記尖端部は上記薄膜を切り落とさないように、該薄膜を１回転未満で切り裂くことを特徴とする。
【００１３】
尖端部によって薄膜が切り落とされてしまうことが無く、薄膜の切り落とし片が容器内に落下してしまうという不都合を防止することができる。
【００１４】
【発明の実施の形態】
以下、本発明を図示の実施形態に基づいて説明する。本実施形態は基本的には、注出路１９を有して、ビン等の容器１の口２に取り付けられるキャップ状の中栓１０であって、その外周壁１２の下端縁には切離可能な大径のストッパーリング２０および注出路１９にはこれを閉鎖する薄膜１５が設けられる中栓１０と、中栓１０に取り付けられる外装キャップ３０であって、その下端がストッパーリング２０上に載置されるとともに、注出路１９を開閉自在に塞ぐ外蓋３３がヒンジ３２を介して取り付けられた外装キャップ３０とを備えたヒンジキャップにおいて、外装キャップ３０を中栓１０に上下方向に移動可能に螺合するとともに、外装キャップ３０には、注出路１９に挿入され、ストッパーリング２０を切離して外装キャップ３０を中栓１０に螺入することで回転されつつ下降されて薄膜１５を切り裂く尖端部３８を形成し、注出路１９には、尖端部３８が薄膜１５を切り裂く際に剪断作用を付加するために、下降する尖端部３８を上刃として当該上刃に対し、薄膜１５を挟み込む下刃として作用する剪断部としての段部８を形成して構成されている。
【００１５】
また尖端部３８は、その回転方向に、薄膜１５に対して部分的に形成されているとともに、薄膜１５を切り落とさないように薄膜１５を１回転未満で切り裂くようになっている。
【００１６】
本実施形態に使用する容器１の口２には、図１に示す如く、口２の首部３の外周に環状突起４が設けられている。そしてこの環状突起４の下には、後述するストッパーリング２０が位置する空間５が存在している。この容器１の口２には、軟材質の合成樹脂ここではポリエチレン樹脂から成る中栓１０と、それより硬材質の合成樹脂から成る外装キャップ３０とが、図１及び図２に示す如く順次被冠される。
＜中栓１０＞
上記中栓１０は、図１及び図２に示す如く、容器１の口２に液密に被冠、固定されるキャップ状のものであって、上記口２の首部３の上に被冠する外周壁１２と、この外周壁１２の上端から連結部１１を経て外周壁１２の内側に断面逆Ｕ字型に垂下した内周壁１３とを有する。
【００１７】
また中栓１０の外周壁１２の下端内面には、上記容器１の首部３の環状突起４と係合する環状凹所１７が設けられ、また中栓１０の外周壁１２にはネジ部１８が形成され、外装キャップ３０のキャップ本体３１の内面に設けたネジ部３４と螺合するようになっている。また、これらネジ部１８、３４を螺合させた時の共廻りを防止するため、容器１の首部３には、その外周面の直径方向２箇所に小突起７が設けられ、中栓１０の外周壁１２の内周面にはこの小突起７が入り込む縦溝１４が対応して設けられている。
【００１８】
更にまた、中栓１０の外周壁１２には、その下端縁に切り取り可能なストッパーリング２０が付加されている。このストッパーリング２０は、その上面に外装キャップ３０の下端を載置するための段差部２１（図１）を有して外周壁１２から連続するように、その内周径が外周壁１２よりも若干大きく、且つ、外周径が外周壁１２よりも段差部２１分だけ大きく形成されている。また、中栓１０の外周壁１２の下端は切り取りやすいように、破線状の接続部（図示せず）にてストッパーリング２０と接続されており、また、図１に示すように、そのストッパーリング２０は１ヶ所（切断箇所２３）で切断されて、その一端部が切り取り時の掴み部２４として外方に突出している。
【００１９】
一方、中栓１０の注出路１９を区画形成する内周壁１３の下端口部には、その下端口部を閉鎖する形で薄膜１５が設けられ、この薄膜１５及び中栓１０の外周壁１２及び内周壁１３間の連結部１１とにより、容器１の口２の頂部開口を被っている。この薄膜１５の、内周壁１３の内面（ガイド面部）と接する外周縁１５ａは、切断しやすいように肉薄となっている。また、中栓１０の内周壁１３には、後述するキャップ本体３１に設けた環状突部３７が係合する環状凹部１６が設けられている。
【００２０】
そしてこの中栓１０を容器１の口２に嵌めると、図２に示す如く、中栓１０の外周壁１２が口２の首部３の外周に被冠され、この外周壁１２の下端のストッパーリング２０は、首部３の外周に設けた環状突起４と容器１の肩部６との間の空間５に位置される。また中栓１０の内周壁１３は口２の首部３の内周に沿って垂下し、その内周壁１３と外周壁１２とが口２の首部３を挟持することにより、中栓１０は容器１の口２に取り付けられる。そして、中栓１０の抜け防止は、その中栓１０の外周壁１２内周の環状凹所１７が、首部３の環状突起４に嵌合することにより達成され、当該中栓１０は口２に係止、固定される。この取り付け状態において、薄膜１５を有する中栓１０が容器１の口２を遮蔽する。
＜外装キャップ３０＞
上記中栓１０の上には、図２に示す如く、外装キャップ３０が被冠、固定される。この外装キャップ３０は、図１及び図２に示す如く、上記中栓１０の上から中栓１０周囲に被冠され、下端が前記ストッパーリング２０の段差部２１上に載置されるキャップ本体３１と、このキャップ本体３１の頂部の一箇所にヒンジ３２により開閉可能に設けられた外蓋３３とからなる。３３ａは外蓋３３に設けた開閉用の操作部である。
【００２１】
キャップ本体３１の外周壁の内面には、上記中栓１０の外周壁１２に設けたネジ部１８が入り込むネジ部３４が形成されている。またキャップ本体３１の上面壁のほぼ中央には隆起部３１ａが形成され、そこに上方に向けて先拡がり状に形成された注出口３５が設けられている。そしてキャップ本体３１には、その外周壁の内側において、上面壁の下面より上記注出口３５を囲んだガイド筒３６が垂下されており、その外周囲には上記中栓１０の環状凹部１７と係合する環状突部３７が設けられている。
【００２２】
更に、このガイド筒３６には、その下端縁の周方向の一部に一体的に延在させた形で、断面を鋭利な形状とした尖端部３８が設けられ、外装キャップ３０を中栓１０に螺入する際に、この尖端部３８により、中栓１０の薄膜１５が徐々に周方向に破断されるように構成されている。この尖端部３８は、具体的には、図３に示すように、断面が鋭利な先細状に形成されているだけでなく、周方向前側に位置する刃面３８ａが斜め上がりの斜面として形成され、上下方向に長い刃渡りを有するように形成されている。これは、中栓１０に外装キャップ３０を被冠した状態で徐々に螺合の度合いを深めて行った際、刃面３８ａが下降しても、中栓１０の薄膜１５に対する破断作用が行われるようにするためである。
【００２３】
尖端部３８が上刃として、また容器１の口２の首部３が下刃として働くように構成されている。この実施形態では、図１に示すように、容器１の口２を構成する首部３の上部に、中栓１０の内周壁１３の下端を支持する段部８が形成され、これにより肉薄になった首部３の上部に、これに対応して外周壁１２及び内周壁１３間の間隔を狭く形成した中栓１０が被冠されている。これにより、中栓１０の内周壁１３の内周面（半径方向内側面）１３ａが、図２に示すように、ほぼ容器１の首部３の内周面３ａとほぼ面一をなしている。
【００２４】
また、図２から良く分かるように、尖端部３８の半径方向位置を外側にずらして、尖端部３８の外周面が容器１の口２の首部３内側面とほぼ面一となるようにしてある。
【００２５】
このため、図２に示す状態では、薄膜１５の薄い外周縁１５ａの直ぐ上側に尖端部３８の下端が位置するとともに、外周縁１５ａの直ぐ下側に容器１の首部３の段部８が位置し、かつ、尖端部３８は中栓１０の内周壁１３及び容器１の首部３の内周面３ａに沿って下降する関係となっている。換言すれば、中栓１０の内周壁１３に沿って下降する尖端部３８が前記薄膜１５に対する上刃として作用し、容器１の首部３の段部８が薄膜１５に対する下刃として作用する剪断部となり、これらによりハサミのような作用が確保される。
【００２６】
そして、上記尖端部３８と、中栓１０及びキャップ本体３１におけるネジ部１８、３４の螺合ピッチとの関係は、外装キャップ３０を回転させて中栓１０にねじ込んでいくことによりキャップ本体３１の下端が図４の容器１の肩部６に接する下降限度位置まで下げたとき、尖端部３８による薄膜１５の破断が、その周方向の一周未満で終わるように構成されている。具体的には、ネジ部１８，３４は二条ネジや三条ネジなどで構成され、外装キャップ３０は一回転未満の螺入で中栓１０に取り付けられ、この螺入動作の間に尖端部３８が薄膜１５の外周縁１５ａを切り裂くように設定されている。
【００２７】
一方、外蓋３３には、その裏面のほぼ中央に、キャップ本体３１の注出口３５に嵌脱自在で且つ当該注出口３５を液密に塞ぐ閉栓用突起３９が垂下して設けられている。
【００２８】
また、閉栓用突起３９の外周面には、液密性を高めるため、挿入過程の途中で上記注出口３５の傾斜したガイド面部３５ａと接触しつつ注出口３５の内壁面を下降し、挿入過程の終わりで注出口３５の下端に抜け出て係脱自在に係合するシール用の環状突起３９ａが形成されている。
【００２９】
上記構成の外装キャップ３０を中栓１０に被冠すると、図２に示す如く、外装キャップ３０のネジ部３４に中栓１０のネジ部１８が入り込み、且つ、外装キャップ３０の上下方向の移動は、まだ切り取られていないストッパーリング２０により、阻止される。このため、尖端部３８は、図２に示すように、薄膜１５に達しない手前の位置に保持され、この状態で容器１の口２が中栓１０で封止され続ける。
＜作用＞
次に、上記構成のヒンジキャップの作用について説明する。上記容器１に化粧液を注入し、口２に上記中栓１０を被冠、固定して容器１を密封し、さらに上述の如く外装キャップ３０を被冠、固定する。この状態で需要者の手にわたるまで保管される。そして需要者がこの化粧液を使用する場合、上記ストッパーリング２０の掴み部２４を引っ張ると、ストッパーリング２０が中栓１０の外周壁１２の下端から切り離れ、ストッパーリング２０が剥がれる。
【００３０】
そこで、外装キャップ３０を廻して、キャップ本体３１を下降限度まで、つまりこの実施形態では図４に示す如く、容器１の肩部６に下端が接する位置まで下降させる。このキャップ本体３１の下降は、ネジ部１８，３４の螺合の程度を深めることで行われるため、少しずつ行われる。従って、尖端部３８は、外装キャップ３０と共に旋回しながら、図２の位置から図４の位置まで、中栓１０の内周壁１３及び容器１の首部３の内周面３ａに沿って徐々に下降し、薄膜１５を段部８の端縁に沿って上から切断する。即ち、尖端部３８は上刃として、また段部８は下刃として働く。従って、薄膜１５の切り取り部分近傍が下から支持されていない場合に較べ、極めて良好な切れ味で中栓１０の薄膜１５を徐々に周方向に破断して行く。そして、尖端部３８による薄膜１５の破断が、その周方向の一周近くまで進むと、キャップ本体３１の下端が容器１の肩部６に接して不動状態となり、ねじ込み操作の終わりとなる。薄膜１５は、図４に示す如く、外周縁１５ａの一部を残して内周壁１３から切り取られ、中栓１０の内周壁１３の一端に垂れ下がる。この薄膜１５の初期切り裂きにより容器１の口２の中栓１０は開く。
【００３１】
この外装キャップ３０の下方移動の終わりで、キャップ本体３１の環状突部３７が中栓１０の内周壁１３の環状凹部１６内に嵌入し、外装キャップ３０は中栓１０と一体化される。なお、尖端部３８による薄膜１５の破断は、その周方向の一周未満で終わるため、薄膜１５が完全に切り落とされて容器１内に落下してしまうことはない。
【００３２】
上記により容器１の口２が中栓１０の尖端部３８にて開かれ、注出路１９は注出口３５と連通した状態となる。そして容器１の中の化粧液を取り出すには、操作部３３ａを操作して、外装キャップ３０の外蓋３３を、ヒンジ３２を介して開ける。これにより注出口３５が開き、容器１を傾けると化粧液が注出口３５を通って注出される。そして再び外蓋３３をキャップ本体３１に被冠すると、外蓋３３の閉栓用突起３９が注出口３５に嵌入し、容器１は密閉される。
【００３３】
上記実施形態では、薄膜１５を中栓１０の注出路１９最下端に位置させたが、薄膜１５は注出路１９の上下方向の任意の位置に設けることができる。また薄膜１５はその外周縁１５ａを肉薄に形成したが、全体を均一な厚さの薄膜として形成することもできる。
【００３４】
【発明の効果】
以上説明したように、請求項１に記載の発明によれば、中栓に外装キャップを螺入させるようにしたので、初期孔を開ける際その螺入の程度を深めるにつれ、尖端部により中栓の薄膜を徐々に周方向に破断することができ、従来のように衝撃的かつ一挙動的に初期孔を開ける場合に較べ、やわらかい操作となるので使い易いと共に、切れ味が良好で、初期孔を開ける際の使用感が良いものとなる。また、注出路で、尖端部を、薄膜を切り裂く際に剪断作用を付加する上刃とするとともに、薄膜を挟み込む下刃として剪断部を形成したので、ハサミの作用が確保することができ、初期孔を開ける際に、非常に良好な切れ味を得ることができる。
【００３５】
請求項２に記載の発明によれば、切り裂く際の回転抵抗を小さくすることができ、スムーズに薄膜を切り裂くことが可能となる。
【００３６】
請求項３に記載の発明によれば、薄膜が切り落とされて容器内に落下してしまうという不都合を防止することができる。
【図面の簡単な説明】
【図１】  本発明の一実施形態に係るヒンジキャップの分解斜視図である。
【図２】  図１のヒンジキャップの取り付け状態を、容器が未使用状態で保存される時の形態で示した縦断面図である。
【図３】  図１のヒンジキャップの尖端部を示した斜視図である。
【図４】  図１のヒンジキャップの取り付け状態を、容器が使用中の状態で保存される時の形態で示した縦断面図である。
【図５】  従来のヒンジキャップを示した縦断面図である。
【符号の説明】
１  容器
２  口
８  段部
１０  中栓
１２  外周壁
１５  薄膜
１９  注出路
２０  ストッパーリング
３０  外装キャップ
３２  ヒンジ
３３  外蓋
３８  尖端部
【図１】
0004467689.tif 000002
【図２】
0004467689.tif 000003
【図３】
0004467689.tif 000004
【図４】
0004467689.tif 000005
【図５】
0004467689.tif 000006